【手続補正書】
【提出日】平成19年10月18日(2007.10.18)
【手続補正１】
【補正対象書類名】明細書
【補正対象項目名】特許請求の範囲
【補正方法】変更
【補正の内容】
【特許請求の範囲】
【請求項１】  データ・ストリームそれぞれは標準品位テレビ信号および高品位テレビ信号のうち１つを表し、データ・ストリームそれぞれは、可視の復号アーティファクトが実質的にないイメージを生成するようにそれを全解像度で復号し、または、場合によっては可視の復号アーティファクトを含むイメージを生成するように部分解像度で復号することができるような方法で、符号化されている、複数のデータ・ストリームを含むデジタル・データのソースと、
前記デジタル・データ・ソースに結合され、同時に２つの高品位テレビ信号を全復号解像度で復号するために必要とされるものより少ない最大復号帯域幅を有する復号器と、
前記復号器に結合され、ユーザ入力に応答して前記データ・ストリーム中の２つのそれぞれのデータ・ストリームを選択し、両方のデータ・ストリームが高品位テレビ信号を表す場合、前記２つのそれぞれのデータ・ストリームのうち一方を部分解像度で復号するように指定するユーザ入力を要求するコントローラと
を含むことを特徴とするテレビジョン受信器。
【請求項２】  前記コントローラの前記コントロール下でイメージを表示することができる表示デバイスをさらに含み、
前記コントローラは、前記選択されたデータ・ストリームのうち１つを前記ユーザに指示させるためのビジュアル・キューを前記表示デバイスに表示させて、その後、ユーザ入力に応答して、前記復号器に前記指示されたデータ・ストリームを部分解像度で復号させることを特徴とする請求項１に記載の受信器。
【請求項３】  前記コントローラは、前記ユーザ入力に応答して、前記指示されたデータ・ストリームを部分解像度で復号させるように指定する、または前記選択されたデータ・ストリームのうち他方を指示するビジュアル・キューを表示させることを特徴とする請求項２に記載の受信器。
【請求項４】  前記コントローラは、前記表示デバイスに、前記選択されたデータ・ストリーム内の前記テレビ信号によって表された各イメージを表示させ、かつ前記ビジュアル・キューを、ボックスとして、前記指示されたデータ・ストリームによって表された前記イメージの周囲に生成させることを特徴とする請求項２に記載の受信器。
【請求項５】  前記ボックスは、肉太の黒いボックス（bold black box）であることを特徴とする請求項４に記載の受信器。
【請求項６】  前記コントローラは、前記表示デバイスに確認イメージを生成させ、前記指示されたデータ・ストリームを部分解像度で復号することの確認を前記ユーザに要求することを特徴とする請求項２に記載の受信器。
【請求項７】  前記コントローラは、前記表示デバイスに、前記デジタル・データ内の前記複数のデータ・ストリームにおけるテレビ信号のスケジュールの少なくとも一部を表示させ、かつ前記指示されたデータ・ストリームを表す前記テレビ信号のスケジュールの前記一部における位置を強調表示することによってビジュアル・キューを生成させ、ユーザ入力に応答して、前記指示されたデータ・ストリームを部分解像度で復号させるように指定することを特徴とする請求項２に記載の受信器。
【請求項８】  前記コントローラは、前記ユーザ入力に応答して、前記テレビ信号のスケジュールの前記一部における異なる位置を強調表示して前記指示されたデータ・ストリームを表し、または、ビジュアル・キューを表示して、前記テレビ信号のスケジュールの前記一部における異なる位置を指示して前記指示されたデータ・ストリームを表すことを特徴とする請求項７に記載の受信器。
【請求項９】  前記コントローラは、前記表示デバイスに、前記ビジュアル・キューを、前記テレビ信号のスケジュールのテーブル表示（tabular display）として表示させ、それにおいて各信号が１つのエントリを前記テーブルにおいて占有し、前記指示されたデータ・ストリームを示す前記エントリは強調表示されることを特徴とする請求項７に記載の受信器。
【請求項１０】  前記コントローラは、前記表示デバイスに確認イメージを生成させ、前記指示されたデータ・ストリームを部分解像度で復号することの確認を前記ユーザに要求することを特徴とする請求項７に記載の受信器。
【請求項１１】  復号されたテレビ信号によって表されたイメージを表示することができる表示デバイスと、
記録ビデオ信号（record video signal）を取り出すことができる記録信号出力端子と
をさらに備え、
前記復号器は、前記デジタル・データ・ソースと前記表示デバイスと前記記録信号出力端子の間に結合されることを特徴とする請求項１に記載のテレビジョン受信器。
【請求項１２】  前記コントローラは、ユーザ入力に応答して、前記復号器に、前記選択されたデータ・ストリームのうち第１のものを全解像度で復号させて、イメージを前記表示デバイスに提供させることを特徴とする請求項１１に記載の受信器。
【請求項１３】  前記コントローラは、ユーザ入力に応答して、前記復号器に、同時に前記選択されたデータ・ストリームのうち前記第２のものを部分解像度で復号させて、イメージを前記表示デバイスに提供させ、前記選択されたデータ・ストリームのうち前記第１のものによって表された前記イメージはメイン・イメージを形成し、前記選択されたデータ・ストリームのうち前記第２のものによって表された前記イメージはサブ・イメージを形成する、ことを特徴とする請求項１２に記載の受信器。
【請求項１４】  前記コントローラは、ユーザ入力に応答して、前記選択されたデータ・ストリームのうち１つを指示し、前記指示されたデータ・ストリームによって表されたテレビ信号を前記記録信号出力端子に提供することを特徴とする、請求項１３に記載の受信器。
【請求項１５】  前記コントローラは、前記表示デバイスに、ビジュアル・キューを、ボックスとして、前記指示されたデータ・ストリームによって表された前記イメージの周囲に生成させることを特徴とする請求項１４に記載の受信器。
【請求項１６】  前記コントローラは、前記表示デバイスに、前記指示されたデータ・ストリームを全解像度で復号するか部分解像度で復号するかについての入力を前記ユーザに要求するイメージを表示させ、ユーザ入力に応答して、前記復号器に、前記指示されたデータ・ストリームを、前記ユーザ入力によって指定された前記解像度で復号させることを特徴とする請求項１４に記載の受信器。
【請求項１７】  前記コントローラは、前記表示デバイスに、前記指定された解像度を指示するイメージを表示させ、かつ確認するユーザ入力を要求することを特徴とする請求項１６に記載の受信器。
【請求項１８】  前記ユーザ入力が前記指示されたデータ・ストリームを全解像度で復号すると指定した場合、前記コントローラは、前記復号器に、前記指示されたデータ・ストリームを全解像度で復号させ、前記指示され復号されたデータ・ストリームによって表された前記テレビ信号を前記記録信号出力端子に供給し、高品位テレビ番組を表すデータ・ストリームが前記表示デバイス上に表示されないように制限することを特徴とする請求項１６に記載の受信器。
【請求項１９】  前記選択されたデータ・ストリームのうち他方が高品位テレビ信号を表す場合、前記コントローラが前記復号器に、前記選択されたデータ・ストリームのうち前記他方を部分解像度で復号させることを特徴とする請求項１８に記載の受信器。
【請求項２０】  前記コントローラは、ユーザ入力に応答して、高品位テレビ信号を前記表示デバイス上に表示するという要求を無視することを特徴とする請求項１８に記載の受信器。
【請求項２１】  前記コントローラは、高品位テレビ信号を前記表示デバイス上に表示することを要求するユーザ入力を受信した場合、前記コントローラが前記表示デバイスに、それが許可されないことを指示するイメージを表示させることを特徴とする請求項１８に記載の受信器。
【請求項２２】  前記コントローラは、前記表示デバイスに、黒いスクリーンのイメージを表示させることを特徴とする請求項２１に記載の受信器。
【請求項２３】  前記コントローラは、前記表示デバイスに、前記復号器が前記記録信号出力端子に対して現在データ・ストリームを全解像度で復号中であることを前記ユーザに通知する、前記黒いスクリーンの上に表示される情報をさらに含むイメージを表示させることを特徴とする請求項２２に記載の受信器。
【請求項２４】  前記コントローラは、さらに前記表示デバイスに、前記記録信号出力端子に対してデータ・ストリームを全解像度で復号することを停止させ、かつ前記要求された高品位テレビ信号を前記表示デバイス上に表示させるかどうかを決定するユーザ入力を要求するイメージを表示させ、
ユーザ入力が、前記記録信号出力端子に対して前記データ・ストリームを全解像度で復号することを停止するべきである、と指定した場合、前記コントローラは、前記復号器に、前記高品位テレビ信号を前記表示デバイスに対して部分解像度で復号させ、かつ同時に、前記要求されたテレビ番組を全解像度で、前記表示デバイス上に表示するために復号させることを特徴とする、請求項２３に記載の受信器。
【請求項２５】  前記コントローラは、前記表示デバイスに、前記要求されたユーザ入力の確認を要求するイメージを表示させることを特徴とする請求項２４に記載の受信器。
【請求項２６】  前記データ・ストリーム中の２つのそれぞれのデータ・ストリームを選択するのに使用される前記ユーザ入力、および前記２つのそれぞれのデータ・ストリームのうち一方を部分解像度で復号するように指定するユーザ入力は、共に、ピクチャ・イン・ピクチャのユーザ入力であることを特徴とする請求項１に記載のテレビジョン受信器。
【請求項２７】  前記データ・ストリーム中の２つのそれぞれのデータ・ストリームを選択するのに使用される前記ユーザ入力、および前記２つのそれぞれのデータ・ストリームのうち一方を部分解像度で復号するように指定するユーザ入力は、共に、前記データ・ストリーム中の２つのそれぞれのデータ・ストリームの全解像度表示に向けられることを特徴とする請求項１に記載のテレビジョン受信器。
【請求項２８】  前記データ・ストリーム中の２つのそれぞれのデータ・ストリームを選択するのに使用される前記ユーザ入力、および前記２つのそれぞれのデータ・ストリームのうち一方を部分解像度で復号するように指定するユーザ入力は、共に、ピクチャ・イン・ピクチャのユーザ入力であることを特徴とする請求項１１に記載のテレビジョン受信器。
【請求項２９】  前記データ・ストリーム中の２つのそれぞれのデータ・ストリームを選択するのに使用される前記ユーザ入力、および前記２つのそれぞれのデータ・ストリームのうち一方を部分解像度で復号するように指定するユーザ入力は、共に、前記データ・ストリーム中の２つのそれぞれのデータ・ストリームの全解像度表示に向けられることを特徴とする請求項１１に記載のテレビジョン受信器。